(57)【要約】【課題】同じ材質で同じ重量のバランスウェイトに比べて、バランスウェイトを小型にすることを目的とする。【解決手段】メータ用指針構造は、物理量を指示する指示部を有する指針ポインタ部材２及び前記指針ポインタ部材に組み付けられる指針キャップ３を有する指針１と、前記指針１を回動させる回動軸を有する回動手段と、前記指針キャップ内に配置され、前記指針が回動軸に対して直交した状態を保つために、前記回動軸を挟んだ前記指示部と反対側に固定したバランスウェイト５とを備える。前記バランスウェイト５は、金属材料から切り出され、プレス加工を施すとともに、指針キャップ３の後端側に固定した。【選択図】図１
2012173105.tif 000002
【特許請求の範囲】
【請求項１】
メータ用指針構造であって、
物理量を指示する指示部を有する指針ポインタ部材、及び、前記指針ポインタ部材に組み付けられる指針キャップ有する指針と、
前記指針を回動させる回動軸を有する回動手段と、
前記指針キャップ内に配置され、前記指針が回動軸に対して直交した状態を保つために、前記回動軸を挟んだ前記指示部と反対側に固定したバランスウェイトとを備え、
前記バランスウェイトは、金属材料から切り出され、プレス加工を施すとともに、指針キャップ後端側に固定したことを特徴とするメータ用指針構造。
【請求項２】
請求項１に記載のメータ用指針構造であって、
前記バランスウェイトは、前記指針キャップの内側形状に合わせた形状にプレス加工を施したことを特徴とするメータ用指針構造。
【発明の詳細な説明】
【技術分野】
【０００１】
この発明は、車両用の情報表示機器であるアナログ指針メータ装置等に用いられる指針に関し、特に、指針回転駆動軸を挟んで、前後のバランスを均衡させることができるメータ用指針構造に関する。
【背景技術】
【０００２】
従来のメータ用指針構造は、メータの物理量を指示する指針と、この指針と一体的に回動する指針軸と、指針軸を回動させるムーヴメントと、指針をシャープに見せ視認性を向上させ、指針軸に固着する部分を隠すポインタキャップと、ポインタキャップの後端部に固着され、指針を指針軸に対してほぼ直交した状態を維持させるために指針の重量バランスを取るバランスウェイトとを備えている。
【０００３】
特許文献１では、そのバランスウェイトを棒状の鋼材から指針の重量に対応した板幅で切り出し、指針に組み付けている。
【先行技術文献】
【特許文献】
【０００４】
【特許文献１】特開平４−９３６１３号公報
【発明の概要】
【発明が解決しようとする課題】
【０００５】
ところが、特許文献１のメータ用指針構造では棒状の鋼材から指針の重量に対応した板幅で切り出しているため、バランスウェイトの表面にバリ、ダレ、破断が発生して表面の材料密度が粗くなっており、バランスウェイトの単位面積当たりの重量が軽くなってしまっていた。
【０００６】
そのため、指針との重量を合せるためには、バランスウェイトを板厚方向（指針の先端部と後端部を結ぶ線の方向）に大きくして重量を増やさなければならなくなり、バランスウェイトを板厚方向に大きくして、指針後端部に合わせて配置した場合、バランスウェイトの重心が回転軸側に寄ってしまっていた。そのため、指針との重量バランスを合せるためには、更にバランスウェイトの重量を増やさなければならないという問題があった。
【０００７】
また、バランスウェイトの重量を増やしてしまうと、指針全体の重量も増えてしまうため、高トルクのムーヴメントを採用しなければならなくなる。更に、指針の軸受にも負担がかかり、軸受けの偏磨耗の原因にもなるという問題もあった。
【０００８】
本発明は、このような従来技術の技術的課題に鑑みてなされたもので、同じ材質で同じ重量のバランスウェイトに比べて、バランスウェイトを小型にし、バランスウェイトの重心を回転軸より径外方向へ移動させることを目的とする。
【課題を解決するための手段】
【０００９】
第１の態様は、メータ用指針構造であって、物理量を指示する指示部を有する指針ポインタ部材、及び、前記指針ポインタ部材に組み付けられる指針キャップ有する指針と、 前記指針を回動させる回動軸を有する回動手段と、前記指針キャップ内に配置され、前記指針が回動軸に対して直交した状態を保つために、前記回動軸を挟んだ前記指示部と反対側に固定したバランスウェイトとを備え、前記バランスウェイトは、 金属材料 から切り出され、プレス加工を施すとともに、 指針キャップ後端側に固定したことを特徴とするメータ用指針構造が提供される。
【００１０】
第２の態様は、前記バランスウェイトは、前記指針キャップの内側形状に合わせた形状にプレス加工を施したことを特徴とする。
【発明の効果】
【００１１】
第１の態様によれば、バランスウェイトにプレス加工を加えバランスウェイトの面精度を向上させ、表面の材料の密度を上げることができ、同じ材質で同じ重量のバランスウェイトに比べて、バランスウェイトを小型にできるという作用効果がある。
【００１２】
第２の態様によれば、バランスウェイト形状をキャップの内側形状に合わせた形状にプレス加工を施したため、バランスウェイトを指針キャップ内の後端部近傍に配置することができ、小型のバランスウェイトであっても指針のバランスがとれるという作用効果がある。
【図面の簡単な説明】
【００１３】
【図１】この発明の実施形態のメータ用指針構造に係る指針の分解斜視図である。
【図２】この発明の実施形態のメータ用指針構造に係る指針の底面図である。
【図３】図２のＡ−Ａ断面図である。
【図４Ａ】この発明の実施形態のメータ用指針構造で、プレス成形前のバランスウェイトの形状を示している。
【図４Ｂ】この発明の実施形態のメータ用指針構造で、プレス成形後のバランスウェイトの形状を示している。
【図５Ａ】この発明の実施形態のメータ用指針構造の変形例で、プレス成形前のバランスウェイトの形状を示している。
【図５Ｂ】この発明の実施形態のメータ用指針構造の変形例で、プレス成形後のバランスウェイトの形状を示している。
【図６】変形例のバランスウェイトを指針に組み付けた場合の指針の上面部分図である。
【図７】図６の指針を矢印方向から見た斜視図である。
【発明を実施するための形態】
【００１４】
以下、添付図面を参照しながら本発明の実施形態について説明する。
【００１５】
まず、この実施形態のメータ用指針の構成について説明する。
【００１６】
この実施形態では、図１乃至図３に示すように、メータ用指針１は、指針ポインタ部材２と、指針キャップ３と、スペーサ４と、バランスウェイト５とを有する。
【００１７】
指針ポインタ部材２は、制御信号に応じて、所望の角度回転駆動させる回転機構であるステップモータ式あるいは交差コイル式ムーヴメントの回転軸の先端部に取り付けられ、図示しない文字盤上を回動する。
【００１８】
指針ポインタ部材２は、透明で光を通過することができるポリカーボネイト等の材料で形成されている。指針ポインタ部材２は、長尺状に形成された指針ポインタ本体２ａと、ムーヴメントの回転軸の先端に取り付けられる円筒状の取付部２ｂと、回転軸の周囲の設けられた光源（ＬＥＤ）の光を指針先端部に向けて光を反射させると共に、指針ポインタ部材２と指針キャップを組み付ける取付開口部２ｃと、回転駆動軸の回動に応じて、エンジン回転速度、車速、燃料量等の車両情報を指示する指示部２ｄとから構成されている。
【００１９】
円筒状の取付部２ｂは、ムーヴメントの回転軸よりやや大きめの円筒部を有し、ムーヴメントの回転軸の先端部を圧入することで、指針ポインタ部材２とムーヴメントの回転軸を固着している。
【００２０】
円筒状の取付部２ｂの上部には、軸延設方向と直交する方向で、かつ、長手方向には、左側面及び右側面に開口する取付開口部２ｃが設けられている。この取付開口部２ｃを構成する面を利用してムーヴメントの周囲に設けられた光源から放射される光を回転駆動軸の回動に応じて、エンジン回転速度、車速、燃料量等の車両情報を表示する長尺状で先端部が先細りの指示部２ｄ側に向けて反射させている。
【００２１】
また、取付開口部２ｃには、平板状のスペーサ４が組み込まれる。
【００２２】
平板状のスペーサ４は、ポリカーボネイト等の材料で形成されており、指針ポインタ部材２と指針キャップ３とを取り付けるための孔４ａが数箇所（本実施形態では４箇所）設けられている。
【００２３】
指針キャップ３は、指針ポインタ部材２を組み付ける取付ピン３ｄが数箇所（本実施形態では４箇所）設けられており、平板状のスペーサ４に設けられた孔４ａの位置に対応している。
【００２４】
指針キャップ３には、バランスウェイト５を収納するバランスウェイト収納凹部３ｂが形成されており、収納凹部には、１対の爪３ｃが形成され、その１対の爪３ｃでバランスウェイト５を固定保持できるようになっている。
【００２５】
更に指針キャップ３には、中央部から先端方向に向って、切欠状のスリット３ａが形成されており、スリット３ａ部分から指針ポインタ本体２ａを露出させ、乗員に対して指針ポインタ本体２ａをシャープに見せるようにしている。
【００２６】
バランスウェイト５は、銅と亜鉛の合金である黄銅等の重金属の材料で形成された棒状または板状の金属材料から指針の重量に対応した板幅に切断したり所定の板厚の板材を型抜きや切断により図４Ａのような直方体のブロックに形成している。
【００２７】
そして、図４Ａ中の矢印方向からプレス機でプレス加工を行い、図４Ｂに示すように、バランスウェイト５を、指針キャップ３の後端形状である、後端側が凸になるように屈曲させた形状にし、かつ、板厚方向よりも上下方向に長くなるようにしている。
【００２８】
尚、プレス加工を行う方向は、メータ用指針に組み付けた際に、プレスした方向と指針の先端側と後端側を結ぶ方向と一致させている。
【００２９】
次に、この実施形態のメータ用指針の組み立て方法について説明する。
【００３０】
まず、指針キャップ３の内側後端部にプレス加工を施したバランスウェイト５を指針キャップ３に設けた一対の爪３ｃに引っ掛けて固定する。
【００３１】
その際、バランスウェイト５にプレス加工を施した方向を、指針の先端側と後端側とを結ぶ方向と一致させておく。
【００３２】
次に、指針ポインタ部材２の取付開口部２ｃに、平板状のスペーサ４を組み込ませる。
【００３３】
その平板状のスペーサ４を組み込ませた指針ポインタ部材２を指針キャップ３に組み付ける。その際、指針キャップ３に設けた取付ピン３ｄを平板状のスペーサ４に設けた孔４ａに貫通させる。
【００３４】
その後、取付ピン３ｄの先端を熱で溶かすことにより指針ポインタ部材２と指針キャップ３を一体にする。
【００３５】
次に、この実施形態の作用効果について説明する。
【００３６】
この実施形態では、バランスウェイト５にプレス加工を加えバランスウェイト５の単位面積当たりの材料の密度を上げることにより、同じ材質で同じ重量のバランスウェイトに比べて、バランスウェイト５を小型にできる。また、バランスウェイト５にプレス加工を施し、板厚方向の厚みを薄くするとともに、プレス加工を施した方向と指針の先端側と後端側を結ぶ方向と一致させて指針キャップ３後端側に固定したために、指針キャップ３にバランスウエイト５を取り付けたときにバランスウェイト５の重心をプレス前のものよりも回転軸から離れた位置に設けることができるため、小型のバランスウェイト５でも指針のバランスを保つことができる。
【００３７】
また、バランスウェイト５の形状を指針キャップ３の内側形状に合わせた形状にプレス加工を施したため、バランスウェイト５を指針キャップ３内の後端近傍に配置することができ、小型のバランスウェイト５であっても指針１のバランスをとることができる。
【００３８】
変形例
本発明の実施形態の変形例を図５Ａ乃至図７を用いて説明する。
【００３９】
図５Ａは、図４Ａと同様に銅と亜鉛の合金である黄銅等の重金属の材料で形成された棒状または板状の金属材料から指針の重量に対応した板幅に切断したり、所定の板厚の板材を型抜きや切断により指針の重量に対応した重量の直方体のブロック状に形成したバランスウェイト５である。
【００４０】
本発明の実施形態の変形例において、このバランスウェイト５の平面の一部にプレス加工を施し図５Ｂに示したような形状にすることも可能である。
【００４１】
そして、図６、図７に示したように指針キャップ３内の後端近傍に配置することにより、本発明の実施形態と同様な作用効果が奏する。
【００４２】
更に、前記実施形態、実施形態の変形例において、バランスウェイト５を型抜き、または、切断により直方体のブロックに形成後、プレス加工を行い、後端側が凸になるように屈曲させた形状にした例を説明したが、型抜きの際にプレス加工を同時に行い、板材から一気に同形状にすることも可能である。
【００４３】
このような工法を用いることにより、製造工程が短縮できるという作用効果がある。
【００４４】
また、前記実施形態において、バランスウェイト５の形状を後端側が凸になるように屈曲させた形状にしたが、これは、指針キャップ３の後端が凸の形状をしているからである。バランスウェイト５を必ずしもこの形状にする必要は無く、指針キャップ３の後端の形状と同じ、または、類似した形状にすれば同様な作用効果がある。
【００４５】
以上、図面を参照して、本発明の実施形態及び変形例のメータ用指針構造を詳述してきたが、具体的な構成は、この実施形態及び変形例のメータ用指針構造に限らず、本発明の要旨を逸脱しない程度の設計変更は、本発明に含まれる。
【符号の説明】
【００４６】
１・・・メータ用指針
２・・・指針ポインタ部材
３・・・指針キャップ
４・・・スペーサ
５・・・バランスウェイト
【図１】
2012173105.tif 000003
【図２】
2012173105.tif 000004
【図３】
2012173105.tif 000005
【図４Ａ】
2012173105.tif 000006
【図４Ｂ】
2012173105.tif 000007
【図５Ａ】
2012173105.tif 000008
【図５Ｂ】
2012173105.tif 000009
【図６】
2012173105.tif 000010
【図７】
2012173105.tif 000011